(57)【特許請求の範囲】
【請求項１】
放送型データの配信を管理する放送型データ配信サービス管理装置において、
前記放送型データとして配信する各配信サービス情報に、各配信サービス情報の配信先を指定する配信エリア情報を対応付けて管理する配信エリア情報管理手段と、
前記各配信サービス情報にそれぞれ配信先を指定する配信エリア情報を付与した配信サービス情報メッセージを、配下のネットワークノードに送信する配信サービス情報送信手段とを備え、
インターネット網の端末から送出される、放送型データとして配信する各配信サービス情報の配信先を指定する配信エリア範囲の情報を含む配信エリアの登録要求メッセージを受信する要求受信手段と、
該エリア範囲の情報を基に配信エリア情報の取得を要求するメッセージをエリア管理装置に送信する配信エリア取得要求送信手段と、
前記エリア管理装置から送信される、前記エリア範囲の情報に対応付けられた配信エリア情報を受信する配信エリア情報受信手段と、
前記配信エリア情報を、前記サービスコンテンツの該当するサービス情報に関連付けて登録する登録手段と、
を備えたことを特徴とする放送型データ配信サービス管理装置。
【請求項２】
移動通信網における配下の無線エリアを管理する無線ネットワーク制御装置において、
放送型データとして配信する各配信サービス情報の配信先を指定する配信エリア情報を付与した配信サービス情報メッセージを受信する受信部と、
前記配信サービス情報メッセージに含まれる各配信サービス情報に付与された配信エリア情報と、配下の無線エリアの情報とを基に、各配信サービス情報が配下の無線エリアを配信先とするか否かを解析する解析部と、
前記配下の無線エリアを配信エリアとする配信サービス情報のみを含む配信サービス情報メッセージを生成する編集部と、
前記メッセージ編集部で生成された配信サービス情報メッセージを前記配下の無線エリアへ送信する送信部と、
を備え、
前記無線エリアに設置された配信サーバを、放送型データ配信サービスの配信サーバとして登録するときに、該配信サーバから送出される登録要求メッセージ内の配信エリア指定情報に基づき、該配信サーバが属する無線エリアの隣接エリア情報を参照し、配信エリア情報を作成する配信エリア情報手段と、
前記配信エリア情報を、放送型データの配信を管理する放送型データ配信サービス管理装置に送信する送信手段と、
を備えたことを特徴とする無線ネットワーク制御装置。
【請求項３】
移動通信網における配下の無線エリアを管理する無線ネットワーク制御装置において、
放送型データとして配信する各配信サービス情報の配信先を指定する配信エリア情報を付与した配信サービス情報メッセージを受信する受信部と、
前記配信サービス情報メッセージに含まれる各配信サービス情報に付与された配信エリア情報と、配下の無線エリアの情報とを基に、各配信サービス情報が配下の無線エリアを配信先とするか否かを解析する解析部と、
前記配下の無線エリアを配信エリアとする配信サービス情報のみを含む配信サービス情報メッセージを生成する編集部と、
前記メッセージ編集部で生成された配信サービス情報メッセージを前記配下の無線エリアへ送信する送信部と、
を備え、
移動端末から送出される、放送型データ配信サービスの配信エリアの登録要求メッセージ内の配信エリア指定情報に基づき、該移動端末が属する無線エリアの隣接エリア情報を参照し、配信エリア情報を作成する配信エリア情報手段と、前記配信エリア情報を、放送型データの配信を管理する放送型データ配信サービス管理装置に送信する送信手段と、
を備えたことを特徴とする無線ネットワーク制御装置。
【発明の詳細な説明】
【技術分野】
【０００１】
本発明は、放送型データ配信サービス情報配信方法、移動網管理装置及び無線ネットワーク制御装置に関する。
【背景技術】
【０００２】
スーパー３Ｇ／ＬＴＥ等の移動通信網において、動画や音楽等のマルチメディアコンテンツを、マルチキャスト／ブロードキャストにより効率よく配信する放送型データ配信サービスは、マルチメディアブロードキャスト／マルチキャストサービス（ＭＢＭＳ：Multimedia Broadcast Multicast Service）などとして知られている。この放送型データ配信サービスの配信形態の一例を図１１に示す。
【０００３】
図１１において、放送型データ配信サービス管理装置（ＢＭ−ＳＣ：Broadcast Multicast - Service Center）１００は、放送型データの配信を管理し、放送型データ配信サービスのコンテンツを提供するプロバイダの情報を管理するサービス管理情報を備える。
【０００４】
該サービス管理情報は、例えば、サービス１はプロバイダＡから、サービス２はプロバイダＢから、サービス３はプロバイダＣから提供されるものとすると、各サービス１〜３に対して、それぞれプロバイダＡ〜Ｃを対応付けた情報として記憶される。
【０００５】
放送型データ配信サービス管理装置（ＢＭ−ＳＣ）１００は、マルチメディアブロードキャスト／マルチキャストサービス関門ノード（ＭＢＭＳ−ＧＷ＃１，＃２）２００を介して、配下の全てのネットワークノードに放送型データを配信する。
【０００６】
該配下のネットワークノードである各移動網管理装置（ＭＭＥ＃１，＃２，＃３）３００は、該放送型データをその配下のネットワークノードである無線ネットワーク制御装置（ｅＮＢ＃１，＃２，＃３，＃４）４００に配信する。無線ネットワーク制御装置（ｅＮＢ＃１，＃２，＃３，＃４）４００は、それぞれの配下の無線エリア（１−１〜１−４，２−１〜２−４，３−１〜３−４，４−１〜４−４）に、該放送型データのサービスコンテンツを配信する。
【０００７】
放送型データ配信サービス（ＭＢＭＳ）のアーキテクチャ、及びインターネットを通してコンテンツ提供者からコンテンツを受信／蓄積し、そのコンテンツをマルチキャスト配信する技術等は、例えば下記の特許文献１等により知られている。
【先行技術文献】
【特許文献】
【０００８】
【特許文献１】特開２００８−１９９２５８号公報
【発明の概要】
【発明が解決しようとする課題】
【０００９】
従来提案されている放送型データ配信サービス（ＭＢＭＳ）は、公衆地上移動通信網（ＰＬＭＮ：Public land mobile network）を単位とした配信をサポートし、特定の無線エリアに限定して放送型データを配信するサービスを実施していない。それは、放送型データ配信サービスを管理する放送型データ配信サービス管理装置（ＢＭ−ＳＣ）に、移動通信網の構成情報を備えていないため、配信エリアを限定して放送型データを配信することができないためである。
【００１０】
一方、移動通信網を構成するネットワークノードは、無線ネットワーク制御装置（ｅＮｏｄｅＢ）及びその上位ノードの移動網管理装置（ＭＭＥ）等により階層化されている。各移動網管理装置（ＭＭＥ）は、その配下の無線ネットワーク制御装置（ｅＮｏｄｅＢ）の情報を備え、また、各無線ネットワーク制御装置（ｅＮｏｄｅＢ）は、その配下の無線エリア（セル又はセクタ）及び隣接無線エリアの情報を備えている。
【００１１】
しかし、放送型データ配信サービス管理装置（ＢＭ−ＳＣ）は、放送型データ配信サービスに係るサーバ情報及びそのＩＰアドレス等の情報を有しているが、配下の移動通信網の構成情報を有していない。そのため、移動通信網を介して放送型データ配信サービスのコンテンツに係るサービス情報を広報する場合、公衆地上移動通信網（ＰＬＭＮ）全体に広報することとなる。
【００１２】
その結果、従来の放送型データ配信サービスは、公衆地上移動通信網（ＰＬＭＮ）を単位とする全国規模でのサービス提供となり、一部のエリアに特化した配信サービスには不向きであり、特定のエリアに限定した配信サービスにはあまり利用されないものとなっている。本発明は、特定の配信エリアに限定して放送型データの配信サービス情報を広報することを可能にし、特定のエリアに限定した放送型データ配信サービスの有効利用を可能にする。
【課題を解決するための手段】
【００１３】
上記課題を解決する一形態としての放送型データ配信サービス管理装置は、放送型データの配信を管理する放送型データ配信サービス管理装置において、前記放送型データとして配信する各配信サービス情報に、各配信サービス情報の配信先を指定する配信エリア情報を対応付けて管理する配信エリア情報管理手段と、前記各配信サービス情報にそれぞれ配信先を指定する配信エリア情報を付与した配信サービス情報メッセージを、配下のネットワークノードに送信する配信サービス情報送信手段とを備え、インターネット網の端末から送出される、放送型データとして配信する各配信サービス情報の配信先を指定する配信エリア範囲の情報を含む配信エリアの登録要求メッセージを受信する要求受信手段と、該エリア範囲の情報を基に配信エリア情報の取得を要求するメッセージをエリア管理装置に送信する配信エリア取得要求送信手段と、前記エリア管理装置から送信される、前記エリア範囲の情報に対応付けられた配信エリア情報を受信する配信エリア情報受信手段と、前記配信エリア情報を、前記サービスコンテンツの該当するサービス情報に関連付けて登録する登録手段と、を備えたものである。
【００１４】
また、上記課題を解決する他の形態としての無線ネットワーク制御装置は、放送型データとして配信する各配信サービス情報の配信先を指定する配信エリア情報を付与した配信サービス情報メッセージを受信する受信部と、前記配信サービス情報メッセージに含まれる各配信サービス情報に付与された配信エリア情報と、配下の無線エリアの情報とを基に、各配信サービス情報が配下の無線エリアを配信先とするか否かを解析する解析部と、前記配下の無線エリアを配信エリアとする配信サービス情報のみを含む配信サービス情報メッセージを生成する編集部と、前記メッセージ編集部で生成された配信サービス情報メッセージを前記配下の無線エリアへ送信する送信部とを備え、前記無線エリアに設置された配信サーバを、放送型データ配信サービスの配信サーバとして登録するときに、該配信サーバから送出される登録要求メッセージ内の配信エリア指定情報に基づき、該配信サーバが属する無線エリアの隣接エリア情報を参照し、配信エリア情報を作成する配信エリア情報手段と、前記配信エリア情報を、放送型データの配信を管理する放送型データ配信サービス管理装置に送信する送信手段と、を備えたものである。
【００１５】
また、上記課題を解決する他の形態としての無線ネットワーク制御装置は、放送型データとして配信する各配信サービス情報の配信先を指定する配信エリア情報を付与した配信サービス情報メッセージを受信する受信部と、前記配信サービス情報メッセージに含まれる各配信サービス情報に付与された配信エリア情報と、配下の無線エリアの情報とを基に、各配信サービス情報が配下の無線エリアを配信先とするか否かを解析する解析部と、前記配下の無線エリアを配信エリアとする配信サービス情報のみを含む配信サービス情報メッセージを生成する編集部と、前記メッセージ編集部で生成された配信サービス情報メッセージを前記配下の無線エリアへ送信する送信部を備え、移動端末から送出される、放送型データ配信サービスの配信エリアの登録要求メッセージ内の配信エリア指定情報に基づき、該移動端末が属する無線エリアの隣接エリア情報を参照し、配信エリア情報を作成する配信エリア情報手段と、前記配信エリア情報を、放送型データの配信を管理する放送型データ配信サービス管理装置に送信する送信手段と、を備えたものである。
【発明の効果】
【００１７】
特定の配信エリアに限定して放送型データの配信サービス情報を広報することができ、特定のエリアに密接した地方行政情報や地域限定の店舗情報などの放送型データの配信サービス情報を、該特定エリアにのみ広報することが可能となる。そのため、放送型データ配信サービスのユーザは、自身が居合わせるエリア特有の配信サービスを容易に選択することが可能となり、放送型データ配信サービスの有効利用を図ることができる。
【図面の簡単な説明】
【００１８】
【図１】配信サービス情報メッセージのフォーマットの例を示す図である。
【図２】放送型データ配信サービス情報の配信形態の一例を示す図である。
【図３】移動端末での放送型データ配信サービスの選択の態様を示す図である。
【図４】サービス情報を中継する移動網管理装置の構成例を示す図である。
【図５】サービス情報を送信する無線ネットワーク制御装置の構成例を示す図である。
【図６】配信エリアを限定した放送型データ配信サービスの一例を示す図である。
【図７】配信サーバから配信エリアを登録する形態の動作シーケンス例を示す図である。
【図８】移動端末から配信エリアを登録する形態の動作シーケンス例を示す図である。
【図９】無線ネットワーク制御装置における配信エリア登録のための構成例を示す図である。
【図１０】インターネット網の端末から配信エリアを登録する形態の一例を示す図である。
【図１１】従来の放送型データ配信サービスの配信形態の一例を示す図である。
【発明を実施するための形態】
【００１９】
開示の放送型データ配信サービス情報配信方法は、放送型データ配信サービス管理装置（ＢＭ−ＳＣ）において、各サービスコンテンツのサービス情報毎に配信エリア情報を対応付けて管理し、該サービス情報毎に配信エリア情報を付加した配信サービス情報メッセージ（MBMS Service Information）を、配下のネットワークノードに送信し、配信サービス情報を広報するものである。
【００２０】
放送型データ配信サービス管理装置（以下「サービス管理装置（ＢＭ−ＳＣ）」と記す）から送信する配信サービス情報メッセージのフォーマットの例を図１に示す。配信サービス情報メッセージは、各サービスコンテンツのサービス情報毎に、サービス識別情報（ＩＤ）、セッション識別情報（ＩＤ）、配信エリア数及び配信エリア情報を含むものとする。ここで、配信エリア数として、特定の数値例えば“０”を指定したときは、全てのエリアに送信するものとする。
【００２１】
図１の例は、サービス１情報は全てのエリアに送信に送信し、サービス２情報はｎ個のエリアに送信し、その配信エリアは無線ネットワーク制御装置ｅＮＢ＃２の無線エリア（セル又はセクタ）２−１，２−３・・・であり、サービス３情報は全てのエリアに送信する配信サービス情報メッセージであることを示している。
【００２２】
サービス管理装置（ＢＭ−ＳＣ）の配下のネットワークノードである移動網管理装置（ＭＭＥ）又は無線ネットワーク制御装置（ｅＮｏｄｅＢ）は、各サービス情報に付与された配信エリア情報を参照する。そして、該配信エリア情報に、自装置配下の無線ネットワーク制御装置（ｅＮｏｄｅＢ）又は無線エリアが指定されているか否かを判定する。
【００２３】
移動網管理装置（ＭＭＥ）又は無線ネットワーク制御装置（ｅＮｏｄｅＢ）は、配信エリア情報により指定された配下のノード又はエリアにのみ、該配信エリア情報が付与されたサービス情報を広報する。こうすることにより、配信エリアを限定した地域限定の放送型データ配信サービスの情報を広報することができる。
【００２４】
図２に放送型データ配信サービス情報の配信形態の一例を示す。サービス管理装置（ＢＭ−ＳＣ）１００は、放送型データ配信サービスのコンテンツ毎のプロバイダ情報を管理するサービス管理情報１０１と共に、各サービスコンテンツのサービス情報毎に配信エリア情報を対応付けた配信エリア情報１０２を備える。配信エリア情報１０２は、配信エリアの無線ネットワーク制御装置（ｅＮｏｄｅＢ）及び無線エリア（セル又はセクタ）の情報とすることができる。
【００２５】
サービス管理装置（ＢＭ−ＳＣ）１００は、移動通信網に対して定期的に配信サービス情報メッセージを送信する。このとき、配信サービス情報メッセージの各サービス情報には、配信エリア情報を付与して送信する。図２の配信形態の例は、図１に示した配信サービス情報メッセージをサービス管理装置（ＢＭ−ＳＣ）１００が送信したときの配信形態を示している。
【００２６】
移動網管理装置（ＭＭＥ＃１，＃２，＃３）３００は、サービス管理装置（ＢＭ−ＳＣ）１００から送信された配信サービス情報メッセージを、放送型データ配信関門ノード（ＭＢＭＳ−ＧＷ＃１，＃２）２００を介して受信する。移動網管理装置（ＭＭＥ＃１，＃２，＃３）３００は、それぞれ、該メッセージのサービス情報毎の配信エリア情報を判別し、該配信エリア情報により、自装置配下の無線ネットワーク制御装置（ｅＮｏｄｅＢ）が指定されているか否かを判定する。
【００２７】
図２の例において、サービス２情報の配信先として、無線ネットワーク制御装置（ｅＮＢ＃２）の無線エリア２−１及び２−３並びに無線ネットワーク制御装置（ｅＮＢ＃３）の無線エリア３−１及び３−２が指定されているものとする。また、サービス１情報及びサービス３情報は、全エリアが送信先に指定されているものとする。
【００２８】
移動網管理装置（ＭＭＥ＃１，＃２）３００は、配下の無線ネットワーク制御装置（ｅＮＢ＃２，＃３）を指定する配信エリア情報が付与されたサービス２情報を、該配下の無線ネットワーク制御装置（ｅＮＢ＃２，＃３）４００のみに送信する配信サービス情報メッセージを編集して送信する。
【００２９】
また、移動網管理装置（ＭＭＥ＃１，＃２）３００は、全エリアを配信先とするサービス１情報及びサービス３情報、又は配下の無線ネットワーク制御装置（ｅＮＢ＃２，＃３）を配信先とするサービス２情報を含む配信サービス情報メッセージ以外の配信サービス情報メッセージは破棄する。
【００３０】
無線ネットワーク制御装置（ｅＮＢ＃１−＃４）４００は、移動網管理装置（ＭＭＥ＃１，＃２）３００から送信された配信サービス情報メッセージを受信し、該メッセージ内のサービス情報毎の配信エリア情報を判別し、配下の無線エリア（セル又はセクタ）が指定されているか否かを判定する。
【００３１】
無線ネットワーク制御装置（ｅＮＢ＃１−＃４）４００は、配下の無線エリア（２−１，２−３，３−１，３−２）を指定する配信エリア情報が付与されたサービス２情報を、該配下の無線エリアのみに送信する。また、無線ネットワーク制御装置（ｅＮＢ＃１−＃４）４００は、全エリアを配信先とするサービス情報１及びサービス情報３を、配下の全ての無線エリアに送信する。図２において、全エリアを配信先とするサービス１情報及びサービス３情報の配信経路を破線の矢印で示し、配信エリアが指定されたサービス２情報の配信経路を実線の矢印で示している。
【００３２】
図３に移動端末での放送型データ配信サービスの選択の態様を示す。無線ネットワーク制御装置（ｅＮＢ）４００は、配信エリアが指定されたサービス情報を、該指定された配下の無線エリアに送信する。該無線エリアに位置する移動端末５００は、該サービス情報を受信し、該サービス情報をサービス選択画面５０１に表示する。
【００３３】
該移動端末５００のサービス選択画面５０１には、該移動端末５００が在圏するエリアに特化したサービス情報が表示される。該移動端末５００のユーザは、サービス選択画面５０１に表示されたサービス情報の中から、所望の例えばサービス２情報を選択し、サービス２のコンテンツの配信を受ける（ＪＯＩＮする）ことができる。
【００３４】
図４にサービス情報を中継する移動網管理装置（ＭＭＥ）の構成例を示す。移動網管理装置（ＭＭＥ＃１）３００は、メッセージ受信部３０１、メッセージ解析部３０２、メッセージ編集部３０３、メッセージ送信部３０４、配下の無線ネットワーク制御装置情報３０５及び送信先情報３０６を備える。
【００３５】
メッセージ受信部３０１は、放送型データ配信関門ノード（ＭＢＭＳ−ＧＷ）を介して配信サービス情報メッセージを受信する。メッセージ解析部３０２は、配信サービス情報メッセージに含まれる各サービス情報に付与されている配信エリア情報を解析する。この解析は、配下の無線ネットワーク制御装置情報３０５を参照して行う。
【００３６】
メッセージ解析部３０２は、配信エリア情報の解析により、配下の無線ネットワーク制御装置（ｅＮＢ）を指定しているサービス情報及び全エリアを配信先とするサービス情報を抽出し、送信先の無線ネットワーク制御装置（ｅＮＢ）毎にサービス情報を編集した送信先情報３０６を生成する。
【００３７】
メッセージ編集部３０３は、送信先情報３０６を参照し、送信先の無線ネットワーク制御装置（ｅＮＢ＃１，＃２）毎の配信サービス情報メッセージを編集し、該配信サービス情報メッセージをメッセージ送信部３０４に送出する。メッセージ送信部３０４は、該配信サービス情報メッセージを、各無線ネットワーク制御装置（ｅＮＢ＃１，＃２）へ送信する。
【００３８】
図５にサービス情報を送信する無線ネットワーク制御装置（ｅＮＢ）の構成例を示す。無線ネットワーク制御装置（ｅＮＢ＃２）４００は、メッセージ受信部４０１、メッセージ解析部４０２、メッセージ編集部４０３、メッセージ送信部４０４、配下の無線エリア情報４０５及び送信エリア情報４０６を備える。
【００３９】
メッセージ受信部４０１は、移動網管理装置（ＭＭＥ＃１）から配信サービス情報メッセージを受信する。メッセージ解析部４０２は、配信サービス情報メッセージに含まれる各サービス情報に付与されている配信エリア情報を解析する。この解析は、配下の無線エリア情報４０５を参照して行う。
【００４０】
メッセージ解析部４０２は、配信エリア情報の解析により、配下の無線エリアを指定しているサービス情報及び全エリアを配信先とするサービス情報を抽出し、各配下の無線エリア対応に、送信する配信サービス情報を編成した送信エリア情報４０６を生成する。
【００４１】
メッセージ編集部４０３は、送信エリア情報４０６を参照し、送信先の無線エリア毎の配信サービス情報メッセージを編集し、該配信サービス情報メッセージをメッセージ送信部４０４に送出する。メッセージ送信部４０４は、無線エリア毎の配信サービス情報メッセージを、それぞれ各無線エリア（２−１〜２−４）へ送信する。
【００４２】
図６に、配信エリアを限定した放送型データ配信サービスの一例を示す。図６の例は、移動通信網内に配信サーバ６００が置かれ、該配信サーバ６００から移動通信網を介して、配信エリアを限定した放送型データ配信サービスをサービス管理装置（ＢＭ−ＳＣ）１００に登録して提供する例を示している。
【００４３】
サービス管理装置（ＢＭ−ＳＣ）１００は、配信サーバ６００から登録された、配信エリアを限定したサービス情報を含む配信サービス情報メッセージを送信する。移動網管理装置（ＭＭＥ）３００は該メッセージを受信し、配下の無線ネットワーク制御装置（ｅＮＢ＃１，＃２）４００を配信先とするサービス情報のみを含むメッセージを編集して、配下の各無線ネットワーク制御装置（ｅＮＢ＃１，＃２）４００に送信する。
【００４４】
無線ネットワーク制御装置（ｅＮＢ＃１，＃２）４００は、移動網管理装置（ＭＭＥ）３００から配信サービス情報メッセージを受信し、それぞれ配下の無線エリア１−１，２−２が配信エリアとして指定されているサービス情報を、配下の無線エリア１−１，２−２に送信する。
【００４５】
次に、放送型データ配信サービスの配信エリアをサービス管理装置（ＢＭ−ＳＣ）に登録する形態について説明する。該配信エリアの登録の形態として、（１）配信サーバから登録する形態、（２）移動端末から登録する形態、又は（３）インターネット網の端末から登録する形態とすることができる。
【００４６】
図７に配信サーバから配信エリアを登録する形態の動作シーケンス例を示す。移動通信網内の無線エリアに設置された配信サーバ６００からサービス管理装置（ＢＭ−ＳＣ）１００に放送型データ配信サービスの登録を行う際に、まず、配信サーバ６００は無線ネットワーク制御装置（ｅＮｏｄｅＢ）４００とＲＲＣコレクションを確立する（７−１）。
【００４７】
配信サーバ６００は、ＲＲＣコレクションの確立後、無線ネットワーク制御装置（ｅＮｏｄｅＢ）４００に、ＭＢＭＳサーバ登録要求メッセージを送付する（７−２）。該ＭＢＭＳサーバ登録要求メッセージには、配信エリアの指定情報を付与して無線ネットワーク制御装置（ｅＮｏｄｅＢ）４００に送付する。このとき、配信エリアの指定情報として、配信エリアが単独無線エリアか隣接無線エリアかを示す情報を付加するものとすることができる。
【００４８】
無線ネットワーク制御装置（ｅＮｏｄｅＢ）４００は、配信サーバ６００から送付されたＭＢＭＳサーバ登録要求メッセージ内の配信エリアの指定情報を参照し、配信エリアが単独無線エリアであるか隣接無線エリアであるかを判定する。配信エリアとして単独無線エリアが指定されている場合、無線ネットワーク制御装置（ｅＮｏｄｅＢ）４００は、指定情報により指定された無線エリアを配信対象のエリアとして決定する（７−３）。
【００４９】
配信エリアとして隣接無線エリアが指定されている場合、無線ネットワーク制御装置（ｅＮｏｄｅＢ）４００は、隣接無線エリア情報を参照し、指定情報により指定された無線エリアの隣接無線エリアを含むエリアを配信対象のエリアとして決定する（７−３）。
【００５０】
無線ネットワーク制御装置（ｅＮｏｄｅＢ）４００は、決定した配信対象のエリアを、ＭＢＭＳサーバ登録要求メッセージに付与して、サービス管理装置（ＢＭ−ＳＣ）１００に送信する（７−４）。該ＭＢＭＳサーバ登録要求メッセージは、移動網管理装置（ＭＭＥ）３００及びサービス関門ノード（ＭＢＭＳ−ＧＷ）２００を介してサービス管理装置（ＢＭ−ＳＣ）１００に送信される（７−５，７−６）。
【００５１】
サービス管理装置（ＢＭ−ＳＣ）１００は、無線ネットワーク制御装置（ｅＮｏｄｅＢ）４００から送付されたＭＢＭＳサーバ登録要求メッセージを受信し、該メッセージの登録要求に従い、ＭＢＭＳサーバの登録を行う際に、該メッセージに付与された配信エリア情報をサービス情報に関連付けて登録する（７−７）。
【００５２】
サービス管理装置（ＢＭ−ＳＣ）１００は、上述のＭＢＭＳサーバの登録が完了すると、ＭＢＭＳサーバ登録要求メッセージに対する応答メッセージを、サービス関門ノード（ＭＢＭＳ−ＧＷ）２００及び移動網管理装置（ＭＭＥ）３００を介して配信サーバ６００へ送信する（７−８〜７−１１）。
【００５３】
配信サーバ６００は、放送型データ配信サービスの開始時に、サービス管理装置（ＢＭ−ＳＣ）１００との間のコネクションを確立し（７−１２）、動画等のマルチキャストサービスのコンテンツデータを、サービス管理装置（ＢＭ−ＳＣ）１００へ送信する（７−１３）。こうすることにより、無線ネットワーク制御装置（ｅＮｏｄｅＢ）４００の有する隣接無線エリア情報を利用して、配信サーバ６００から、隣接無線エリアを含むエリアを配信対象のエリアとして容易に登録することができる。
【００５４】
図８に移動端末から配信エリアを登録する形態の動作シーケンス例を示す。移動端末５００は、無線ネットワーク制御装置（ｅＮｏｄｅＢ）４００に、ＭＢＭＳエリア登録要求メッセージを送付する（８−１）。該ＭＢＭＳエリア登録要求メッセージには、配信エリアの指定情報を付与して無線ネットワーク制御装置（ｅＮｏｄｅＢ）４００に送付する。このとき、配信エリアの指定情報として、配信エリアが単独無線エリアか隣接無線エリアかを示す情報を付加するものとすることができる。
【００５５】
無線ネットワーク制御装置（ｅＮｏｄｅＢ）４００は、移動端末５００から送付されたＭＢＭＳエリア登録要求メッセージ内の配信エリアの指定情報を参照し、配信エリアが単独無線エリアであるか隣接無線エリアであるかを判定する。単独無線エリアが指定されている場合、無線ネットワーク制御装置（ｅＮｏｄｅＢ）４００は、指定情報により指定された無線エリアを配信対象のエリアとして決定する（８−２）。
【００５６】
配信エリアとして隣接無線エリアが指定されている場合、無線ネットワーク制御装置（ｅＮｏｄｅＢ）４００は、隣接無線エリア情報を参照し、指定情報により指定された無線エリアの隣接無線エリアを含むエリアを配信対象のエリアとして決定する（８−２）。
【００５７】
無線ネットワーク制御装置（ｅＮｏｄｅＢ）４００は、決定した配信対象のエリアを、ＭＢＭＳエリア登録要求メッセージに付与して、サービス管理装置（ＢＭ−ＳＣ）１００に送信する（８−３）。該ＭＢＭＳエリア登録要求メッセージは、移動網管理装置（ＭＭＥ）３００及びサービス関門ノード（ＭＢＭＳ−ＧＷ）２００を介してサービス管理装置（ＢＭ−ＳＣ）１００に送信される（８−４，８−５）。
【００５８】
サービス管理装置（ＢＭ−ＳＣ）１００は、無線ネットワーク制御装置（ｅＮｏｄｅＢ）４００から送付されたＭＢＭＳエリア登録要求メッセージを受信し、該メッセージの登録要求に従い、該メッセージに付与された配信エリア情報をサービス情報に関連付けて登録する（８−６）。
【００５９】
サービス管理装置（ＢＭ−ＳＣ）１００は、上述のＭＢＭＳエリア登録の処理が完了すると、ＭＢＭＳエリア登録要求メッセージに対する応答メッセージを、サービス関門ノード（ＭＢＭＳ−ＧＷ）２００及び移動網管理装置（ＭＭＥ）３００を介して移動端末５００へ送信する（８−７〜８−１０）。こうすることにより、無線ネットワーク制御装置（ｅＮｏｄｅＢ）４００の有する隣接無線エリア情報を利用して、移動端末５００から、隣接無線エリアを含むエリアを配信対象のエリアとして容易に登録することができる。
【００６０】
図９の（ａ）に無線ネットワーク制御装置（ｅＮＢ）における配信エリア登録のための構成例を示す。無線ネットワーク制御装置（ｅＮＢ）４００は、メッセージ受信部４１１、メッセージ解析部４２２、メッセージ編集部４１３、メッセージ送信部４１４、配信エリア分析部４１５、及び隣接エリア情報４１６を備える。
【００６１】
メッセージ受信部４１１は、配信サーバ６００又は移動端末５００から、ＭＢＭＳサーバ登録要求メッセージ又はＭＢＭＳエリア登録要求メッセージを受信する。ＭＢＭＳサーバ登録要求メッセージ又はＭＢＭＳエリア登録要求メッセージのフォーマット例を図９の（ｂ）に示している。
【００６２】
ＭＢＭＳサーバ登録要求メッセージ又はＭＢＭＳエリア登録要求メッセージは、サービス情報毎に配信エリア指定情報を含んでいる。メッセージ解析部４１２は、該ＭＢＭＳサーバ登録要求メッセージ又はＭＢＭＳエリア登録要求メッセージに含まれるサービス情報毎の配信エリアの指定情報を参照し、配信エリアが単独無線エリアであるか隣接無線エリアであるかを解析する。
【００６３】
メッセージ解析部４１２は、該解析結果を配信エリア分析部４１５に通知する。配信エリア分析部４１５は、配信エリアとして単独無線エリアが指定されている場合、指定情報により指定された無線エリアを配信対象のエリアとして決定する。配信エリアとして隣接無線エリアが指定されている場合、配信エリア分析部４１５は、隣接エリア情報４１６を参照し、指定情報により指定された無線エリアの隣接無線エリアを含むエリアを配信対象のエリアとして決定する。
【００６４】
配信エリア分析部４１５は、決定した配信エリアの情報をメッセージ編集部４１３に通知する。メッセージ編集部４１３は、サービス情報毎の配信エリア情報を各サービス情報に付与したメッセージを編集し、該メッセージをメッセージ送信部４１４に送出する。メッセージ送信部４１４は、該メッセージを、マルチメディアブロードキャスト／マルチキャストサービス関門ノード（ＭＢＭＳ−ＧＷ）を介してサービス管理装置（ＢＭ−ＳＣ）へ送信する。
【００６５】
図１０にインターネット網の端末から配信エリアを登録する形態の一例を示す。インターネット上の端末７００から、インターネットを介してサービス管理装置（ＢＭ−ＳＣ）１００に配信エリア登録要求のメッセージを送信する。該メッセージには、サービス情報の配信先の地図上のエリア範囲を示す情報を付加して送信する。
【００６６】
サービス管理装置（ＢＭ−ＳＣ）１００は、要求受信部１０３により該配信エリア登録要求のメッセージを受信し、該メッセージを基に配信エリア取得要求部１０４よりエリア管理装置８００に配信エリア情報の取得要求のメッセージを送出する。エリア管理装置８００は、地図上のエリア範囲と、該エリア範囲内の無線ネットワーク制御装置（ｅＮＢ）の番号及び無線エリアの番号とを含む配信エリア情報とを対応付けて管理している。
【００６７】
エリア管理装置８００は、配信エリア取得受信部８０１により配信エリア情報の取得要求のメッセージを受信し、該メッセージを配信エリア分析部８０２へ送出する。配信エリア分析部８０２は、該メッセージのエリア範囲を示す情報を元に、該エリア範囲内の無線ネットワーク制御装置（ｅＮＢ）の番号及び無線エリアの番号を取得する。
【００６８】
配信エリア分析部８０２は、取得した無線ネットワーク制御装置（ｅＮＢ）の番号及び無線エリアの番号を含む配信エリア情報を、配信エリア情報送信部８０３に送出する。配信エリア情報送信部８０３は、該配信エリア情報をサービス管理装置（ＢＭ−ＳＣ）１００に送信する。サービス管理装置（ＢＭ−ＳＣ）１００は、該配信エリア情報を配信エリア情報受信部１０５により受信し、該受信した配信エリア情報を該当するサービス情報に関連付け、配信エリア情報１０２として登録する。こうすることにより、インターネット上の端末７００から、地図上のエリア範囲等を指定して、配信エリアを容易に登録することができる。
【産業上の利用可能性】
【００６９】
以上説明した実施形態により以下のようなサービスが実現可能となる。
（１）地域限定の放送局等によるマルチキャスト配信を行うことができる。
（２）市区町村単位での公共放送等を行うことができる。
（３）地域限定のプロモーション（営業）の情報配信等に活用することができる。
【符号の説明】
【００７０】
１００  サービス管理装置（ＢＭ−ＳＣ）
１０１  サービス管理情報
１０２  配信エリア情報
２００  放送型データ配信関門ノード（ＭＢＭＳ−ＧＷ）
３００  移動網管理装置（ＭＭＥ）
４００  無線ネットワーク制御装置（ｅＮＢ）
５００  移動端末
６００  配信サーバ
７００  インターネット上の端末
８００  エリア管理装置
１−１〜１−４，２−１〜２−４，３−１〜３−４，４−１〜４−４  無線エリア
【図１】
0005561096.tif 000002
【図２】
0005561096.tif 000003
【図３】
0005561096.tif 000004
【図４】
0005561096.tif 000005
【図５】
0005561096.tif 000006
【図６】
0005561096.tif 000007
【図７】
0005561096.tif 000008
【図８】
0005561096.tif 000009
【図９】
0005561096.tif 000010
【図１０】
0005561096.tif 000011
【図１１】
0005561096.tif 000012